(57)【特許請求の範囲】
【請求項１】
シートに画像を形成するプリンタ装置と前記プリンタ装置から電力供給を受けて画像を読み取るリーダ装置とを組み合わせて構成される画像形成装置において、
前記リーダ装置は、
原稿を露光走査するスキャナユニットと、
前記スキャナユニットを駆動するモータと、
前記リーダ装置を制御するとともに、前記モータを通常の電力で駆動するリーダ通常電力モードと、通常の電力よりも低い電力で前記モータを駆動するリーダ低消費電力モードの何れかの電力モードで前記モータを駆動する第１の制御手段とを有し、
前記プリンタ装置は、
シートに形成された画像を定着する定着器と、
前記リーダ装置に電力を供給する電力供給手段と、
前記プリンタ装置を制御するとともに、前記定着器を通常の電力で動作させるプリンタ通常電力モードと、通常の電力よりも低い電力で前記定着器を動作させるプリンタ低消費電力モードの何れかの電力モードで前記定着器を動作させる第２の制御手段とを有し、
前記第２の制御手段は、前記プリンタ装置の消費電力情報を前記第１の制御手段へ送信し、
前記第１の制御手段は、前記第２の制御手段から受信した消費電力情報に基づいて、前記プリンタ装置の消費電力と前記リーダ装置の消費電力との合計値が所定値を越えるか否かを判断し、前記所定値を超える場合に、前記所定値を越えない前記リーダ装置と前記プリンタ装置の電力モードを決定し、決定した電力モードを前記第２の制御手段へ送信する、
ことを特徴とする画像形成装置。
【請求項２】
前記第１の制御手段は、前記プリンタ装置の消費電力と前記リーダ装置の消費電力との合計値が所定値を越える場合、前記画像形成装置の使用を禁止することを特徴とする請求項１記載の画像形成装置。
【請求項３】
更に、表示手段を有し、前記第１の制御手段は、前記プリンタ装置の消費電力と前記リーダ装置の消費電力との合計値が所定値を越える場合、前記画像形成装置の使用禁止を前記表示手段に表示することを特徴とする請求項２記載の画像形成装置。
【請求項４】
シートに画像を形成するプリンタ装置と前記プリンタ装置から電力供給を受けて画像を読み取るリーダ装置とを組み合わせて構成される画像形成装置において、
前記リーダ装置は、
原稿を露光走査するスキャナユニットと、
前記スキャナユニットを駆動するモータと、
前記リーダ装置を制御するとともに、前記モータを通常の電力で駆動するリーダ通常電力モードと、通常の電力よりも低い電力で前記モータを駆動するリーダ低消費電力モードの何れかの電力モードで前記モータを駆動する第１の制御手段とを有し、
前記プリンタ装置は、
シートに形成された画像を定着する定着器と、
前記リーダ装置に電力を供給する電力供給手段と、
前記プリンタ装置を制御するとともに、前記定着器を通常の電力で動作させるプリンタ通常電力モードと、通常の電力よりも低い電力で前記定着器を動作させるプリンタ低消費電力モードの何れかの電力モードで前記定着器を動作させる第２の制御手段とを有し、
前記第１の制御手段は、前記リーダ装置の消費電力情報を前記第２の制御手段へ送信し、
前記第２の制御手段は、前記第１の制御手段から受信した消費電力情報に基づいて、前記リーダ装置の消費電力と前記プリンタ装置の消費電力との合計値が所定値を越えるか否かを判断し、前記所定値を超える場合に、前記所定値を越えない前記リーダ装置と前記プリンタ装置の電力モードを決定し、決定した電力モードを前記第１の制御手段へ送信する、
ことを特徴とする画像形成装置。
【請求項５】
前記第２の制御手段は、前記リーダ装置の消費電力と前記プリンタ装置の消費電力との合計値が所定値を越える場合、前記画像形成装置の使用を禁止することを特徴とする請求項４記載の画像形成装置。
【請求項６】
更に、表示手段を有し、前記第２の制御手段は、前記リーダ装置の消費電力と前記プリンタ装置の消費電力との合計値が所定値を越える場合、前記画像形成装置の使用禁止を前記表示手段に表示することを特徴とする請求項５記載の画像形成装置。
【発明の詳細な説明】
【０００１】
【発明の属する技術分野】
本発明は、原稿画像を読取る画像読取装置（リーダ部）と読取った画像を用紙等の記録媒体に書き込み記録する画像書込み装置（プリンタ部、画像記録部）とが分離可能であり、プリンタ部とリーダ部の電力消費および制御方式に特徴を備えた画像形成装置に関する。
【０００２】
【従来の技術】
最近のディジタル複写機の発展により、画像読み取り部（リーダ、スキャナ）と画像書き込み部（プリンタ）が分離可能となり、利便性が高められている。
【０００３】
さらには、買い換えあるいは性能向上のために、製品の様々な組み合わせの要望が増えてきている。
【０００４】
【発明が解決しようとする課題】
しかし、複写機の構成はある程度の範囲での組み合わせで設定されており、その許容範囲を超えた組み合わせの場合には、所定の消費電力を超えて故障あるいは誤作動に至る恐れがある。
【０００５】
本発明は、このような従来技術の課題を解決するためになされたもので、その目的とするところは、製品発売時の設定だけでなく、限りなく広範囲な組み合わせを可能とし、ユーザーに豊富な製品ラインナップを持つ画像形成装置を提供することにある。
【０００６】
【課題を解決するための手段】
上記目的を達成するため、請求項１の発明は、シートに画像を形成するプリンタ装置と前記プリンタ装置から電力供給を受けて画像を読み取るリーダ装置とを組み合わせて構成される画像形成装置において、前記リーダ装置は、原稿を露光走査するスキャナユニットと、前記スキャナユニットを駆動するモータと、前記リーダ装置を制御するとともに、前記モータを通常の電力で駆動するリーダ通常電力モードと、通常の電力よりも低い電力で前記モータを駆動するリーダ低消費電力モードの何れかの電力モードで前記モータを駆動する第１の制御手段とを有し、前記プリンタ装置は、シートに形成された画像を定着する定着器と、前記リーダ装置に電力を供給する電力供給手段と、前記プリンタ装置を制御するとともに、前記定着器を通常の電力で動作させるプリンタ通常電力モードと、通常の電力よりも低い電力で前記定着器を動作させるプリンタ低消費電力モードの何れかの電力モードで前記定着器を動作させる第２の制御手段とを有し、前記第２の制御手段は、前記プリンタ装置の消費電力情報を前記第１の制御手段へ送信し、前記第１の制御手段は、前記第２の制御手段から受信した消費電力情報に基づいて、前記プリンタ装置の消費電力と前記リーダ装置の消費電力との合計値が所定値を越えるか否かを判断し、前記所定値を超える場合に、前記所定値を越えない前記リーダ装置と前記プリンタ装置の電力モードを決定し、決定した電力モードを前記第２の制御手段へ送信する、ことを特徴とする。
【０００７】
ここで、前記第１の制御手段は、前記プリンタ装置の消費電力と前記リーダ装置の消費電力との合計値が所定値を越える場合、前記画像形成装置の使用を禁止することを特徴とすることができる。
【０００８】
更に、表示手段を有し、前記第１の制御手段は、前記プリンタ装置の消費電力と前記リーダ装置の消費電力との合計値が所定値を越える場合、前記画像形成装置の使用禁止を前記表示手段に表示することを特徴とすることができる。
【００１０】
上記目的を達成するため、請求項４の発明は、シートに画像を形成するプリンタ装置と前記プリンタ装置から電力供給を受けて画像を読み取るリーダ装置とを組み合わせて構成される画像形成装置において、前記リーダ装置は、原稿を露光走査するスキャナユニットと、前記スキャナユニットを駆動するモータと、前記リーダ装置を制御するとともに、前記モータを通常の電力で駆動するリーダ通常電力モードと、通常の電力よりも低い電力で前記モータを駆動するリーダ低消費電力モードの何れかの電力モードで前記モータを駆動する第１の制御手段とを有し、前記プリンタ装置は、シートに形成された画像を定着する定着器と。前記リーダ装置に電力を供給する電力供給手段と、前記プリンタ装置を制御するとともに、前記定着器を通常の電力で動作させるプリンタ通常電力モードと、通常の電力よりも低い電力で前記定着器を動作させるプリンタ低消費電力モードの何れかの電力モードで前記定着器を動作させる第２の制御手段とを有し、前記第１の制御手段は、前記リーダ装置の消費電力情報を前記第２の制御手段へ送信し、前記第２の制御手段は、前記第１の制御手段から受信した消費電力情報に基づいて、前記リーダ装置の消費電力と前記プリンタ装置の消費電力との合計値が所定値を越えるか否かを判断し、前記所定値を超える場合に、前記所定値を越えない前記リーダ装置と前記プリンタ装置の電力モードを決定し、決定した電力モードを前記第１の制御手段へ送信する、ことを特徴とする。
【００１１】
ここで、前記第２の制御手段は、前記リーダ装置の消費電力と前記プリンタ装置の消費電力との合計値が所定値を越える場合、前記画像形成装置の使用を禁止することを特徴とする。
【００１２】
更に、表示手段を有し、前記第２の制御手段は、前記リーダ装置の消費電力と前記プリンタ装置の消費電力との合計値が所定値を越える場合、前記画像形成装置の使用禁止を前記表示手段に表示することを特徴とすることができる。
【００３２】
【発明の実施の形態】
以下、本発明の一実施の形態を図面に基づき説明する。
【００３３】
図２は、本発明の一実施の形態に係る画像形成装置（例えば、複写装置）の構成を示す縦断面図である。同図において１００は画像形成装置で、画像読み取り部であるリーダ部１１０と、画像記録部であるプリンタ部１５０とからなる。
【００３４】
リーダ部１１０は、原稿給送装置１４０、原稿台ガラス１１１、スキャナ部の原稿照明用のランプ１１２、スキャナ・ユニット１１３、ミラー１１４，１１５，１１６、レンズ１１７、ＣＣＤ（電荷結合素子）イメージ・センサ部（以下、ＣＣＤと記述する）１１８を有している。
【００３５】
プリンタ部１５０は、露光制御部１５１、感光体（感光体ドラム）１５２、現像器１５３、記録紙（転写紙）積載部１５４，１５５、転写部１５６、定着部１５７、排紙部１５８、搬送方向切り替え部材１５９、再給紙用記録紙（転写紙）積載部１６０、ソータ１７０を有している。
【００３６】
次に、上記構成による画像形成装置の動作について説明する。
【００３７】
図２において、リーダ部１１０の原稿給送装置１４０上に積載された複数枚の原稿は、１枚づつ順次、原稿台ガラス１１１上に搬送される。原稿が原稿台ガラス１１１の所定位置に搬送されると、スキャナ部のランプ１１２が点灯し、且つスキャナ・ユニット１１３が移動して原稿がランプ１１２により照射される。原稿の反射光は、ミラー１１４，１１５，１１６及びレンズ１１７を介して固体撮像素子であるＣＣＤ１１８に入力される。ＣＣＤ１１８に結像された原稿の反射光は、光電変換され、画像信号として出力される。
【００３８】
ＣＣＤ１１８から出力された画像信号はプリンタ部１５０に送られ、画像処理部（図示しない）により適宜画像処理が施されたのち露光制御部１５１に送られる。画像信号は露光制御部１５１において変調されたレーザビームの光信号に変換され、この光信号は光学系および回転多面鏡（図示しない）を介して感光体１５２を照射することにより、感光体１５２上に潜像が形成される。
【００３９】
感光体１５２上に形成された潜像は、現像器１５３によってトナー（現像剤）により現像される。この現像された像（トナー像）の先端とタイミングを合わせて記録紙積載部１５４または１５５から記録紙が搬送され、転写部１５６においてその現像された像が記録紙上に転写される。記録紙に転写された像は、定着部１５７により加圧・加熱により記録紙に定着された後、排紙部１５８から装置外部に排出される。
【００４０】
排紙部１５８から排出された記録紙は、ソータ１７０でソート機能が働いている場合には、各ビン１７２等に、またソート機能が働いていない場合には、ソータ１７０の最上位のビン１７１に排出される。
【００４１】
次に、順次読み込む画像を１枚の記録紙の両面に出力する両面記録モードの場合の動作について説明する。
【００４２】
両面記録モードの場合は、定着部１５７により像が定着された記録紙を、一度、排紙部１５８まで搬送後、記録紙の搬送方向を反転して搬送方向切り替え部材１５９を介して再給紙用記録紙積載部１６０に記録紙を搬送する。そして、次の原稿が準備されると、前述のプロセス（工程）と同様にして原稿画像が読み取られるが、記録紙については再給紙用記録紙積載部１６０から給紙されるので、結局、同一記録紙の表面と裏面に２枚の原稿画像を出力することができる。
【００４３】
図３は、本実施の形態に係る画像形成装置１００の制御系の構成を示す。同図において、図２と同一部分には同一符号が付してある。
【００４４】
図３において、Ａは前述のリーダ部１１０に含まれるリーダ制御系であり、Ｂは前述のプリンタ部１５０に含まれるプリンタ制御系である。
【００４５】
ＣＣＤ１１８内で光電変換され、適宜アナログ増幅及びＡ／Ｄ変換された画像データはライン１２１を介してリーダコントローラ１２０に送られる。リーダコントローラ１２０では受け取った画像データをシェーディング補正をかけた後、画像転送バス３００を介してメインコントローラ２０１へと送る。また、リーダコントローラ１２０内で生成したＣＣＤ１１８を駆動するための各種タイミングパルスはライン１２２を介してＣＣＤ１１８へと送られる。
【００４６】
また、リーダコントローラ１２０にはステッピングモータ１２３が接続され、リーダコントローラ１２０の制御により、ステッピングモータ１２３が正／逆回転することにより、前述のスキャナ・ユニット１１３が往／復動し、原稿台ガラス１１１上の原稿を走査することができる。
【００４７】
メインコントローラ２０１はプリンタ部１５０及びリーダ部１１０を総合的に制御するユニットであり、各種制御用のデータをデータバス３０１を介してリーダコントローラ１２０とやりとりする。
【００４８】
ユーザーインターフェース部（操作部）２０５はキーやＬＣＤ（液晶ディスプレイ）等の表示部からなり、キーの入力情報をメインコントローラ２０１に送り、また、メインコントローラ２０１から出力される表示データを受け取り、その表示データに従って表示を行う。
【００４９】
低圧電源ユニット２０３は商用電源（不図示）からＡＣ電圧を受け取り、メインコントローラ２０１の指示の元に、低圧電源を生成する。低圧電源として、ＣＰＵ（図示しない）等の制御部に給電する制御電源（３．３Ｖ等）やモータやソレノイドを駆動するためのパワー電源（２４Ｖ等）を生成する。制御電源はライン３０２を介してリーダコントローラ１２０に供給されると共に、プリンタ部１５０内の必要な各ユニット（図示しない）に供給される。また、パワー電源はライン３０３を介してリーダコントローラ１２０に供給されると共にプリンタ部１５０内の必要な各ユニット（図示しない）に供給される。
【００５０】
リーダコントローラ１２０からメインコントローラ１２０に入力した画像データは、メインコントローラ２０１内で、変倍、エッジ強調、２値化等の画像処理を施された後、ライン２０７を介してプリンタコントローラ２０２に送られる。
【００５１】
プリンタコントローラ２０２はプリンタ部１５０の紙送り系の制御、画像形成に必要な帯電系の制御を行うユニットである。プリンタコントローラ２０２は各種制御用のデータをデータバス２０８を介してメインコントローラ２０１とやりとりする。また、プリンタコントローラ２０２はライン２０７を介して受け取った画像データに、プリントに必要な各種タイミングを付加して画像データバス２０９に出力する。
【００５２】
図２に示した露光制御部１５１は、画像データバス２０９を介して受け取った画像データやタイミング信号に従って半導体レーザ（図示しない）を所定の光量で発光させ、発光した光ビームを感光体１５２に照射することにより、感光体１５２上に潜像を形成する。
【００５３】
外部インターフェース３０４は画像形成装置１００以外の装置、例えばパーソナルコンピュータ（図示しない）と通信を行う為のインターフェースであり、メインコントローラ２０１に接続されている。
【００５４】
図４は、図３のリーダコントローラ１２０の構成を示す。同図において、図３と同一部分については同一の符号を付してある。
【００５５】
ＣＰＵ（中央演算処理装置）１２４はリーダ部１１０の動作を制御していて、ローカルデータバス１３０を経由してパルス生成器１２５と初期画処理器１２６の設定及び動作タイミングを与えている。また、ＣＰＵ１２４はデータバス３０１を経由してメインコントローラ２０１と情報の受け渡しを行っている。
【００５６】
ＣＰＵ１２４は更に、モータ制御信号１３３を使ってモータドライバ１２８を介してステッピングモータ１２３を制御する。モータドライバ１２８はモータ制御信号１３３に含まれているステッピングモータ１２３の回転速度を示すモータクロック信号と回転方向信号及び駆動イネーブル信号に従ってモータ駆動線１３４によりステッピングモータ１２３を駆動する。ステッピングモータ１２３の駆動にはパワー電源３０３を使用する。
【００５７】
パルス生成器１２５は発振器１２７からクロックの供給を受け、ＣＰＵ１２４による設定に従ってＣＣＤタイミング信号１２２を生成してＣＣＤ１１８を駆動すると同時に、タイミング信号１２２によってＣＣＤ１１８から送られてくる画像データ１２１に同期した画像クロック１３２を生成する。画像クロック１３２のスピードは、ＣＣＤタイミング信号１２２との相関性を保った状態で、ＣＰＵ１２４により選択的に切換が可能である。
【００５８】
初期画処理器１２６はＣＣＤ１１８から送られてくる画像データ１２１にシェーディング処理を施して、画像転送バス３００に画像クロック１３２に同期させて送り出す。データバス３０１に含まれる画像データに関する情報信号は、直接に初期画処理器１２６に接続され、画像データに関連するクリティカルなタイミング信号の受け渡しを行っている。
【００５９】
本構成においては、ＣＰＵ１２４の動作クロックと画像クロック１３２は同期している必要性がないため、同期している状態を含めてお互いに任意に選択が可能となっている。
【００６０】
図５は、図３のユーザインタフェース部の具体例である操作部２０５の構成例を示す。同図に示すように、操作部２０５には、各種キーと、液晶表示装置からなるドットマトリックスで構成される表示部２０５ａとが配置されている。
【００６１】
表示部２０５ａは、画像形成装置の状態、コピー枚数、倍率、選択用紙及び各種操作モード画面を表示し、後述する各種コントロールキーにより操作される。
【００６２】
２０５ｂはスタートキーで、コピー動作を開始させるためのキーである。２０５ｃは復帰（リセット）キーで、設定モードを標準状態に復帰（リセット）させるためのキーである。２０５ｄはキー群で、コピー枚数やズーム倍率等を入力するための０〜９までのテンキーと、その入力をクリアするためのクリアキー等を有している。２０５ｅ，２０５ｆは濃度調整キーで、濃度をアップ／ダウンさせるためのキーである。これらの濃度調整キー２０５ｅ，２０５ｆにより調整される濃度の状態は、バースケール状の濃度表示部２０５ｇに表示される。２０５ｈは自動濃度調整機能をオン／オフするためのキーと、その表示部である。２０５ｉは給紙段及びオート用紙選択モードを選択するためのキーであり、その選択状態は表示部２０５ａに表示される。２０５ｊ，２０５ｋ，２０５ｌはそれぞれ定形縮小モード、等倍モード、拡大モードを設定するためのキーである。２０５ｍはオート変倍モードを設定するためのキーで、その設定状態は表示部２０５ａに表示される。
【００６３】
図６は図３のメインコントローラ２０１の構成を示す。同図において、ＣＰＵ７０１はＲＯＭ（リードオンリメモリ）７０２内のプログラムに基づき全体の制御を行う。
【００６４】
ＲＡＭ（ランダムアクセスメモリ）７０３はＣＰＵ７０１のワークエリアとして使用され、またリーダ部（スキャナ部）１１０で読み取った画像の記憶にも使用する。
【００６５】
７１３はシリアル通信コミュニケーションインターフェース（ＳＣｉ）であり、ここを介してＣＰＵ７０１は前述のリーダコントローラ１２０、低圧電源ユニット２０３、プリンタコントローラ２０２と情報の送受信を行う。
【００６６】
７１０はＰＣＩ／Ｆ（パーソナルコンピュータ・インタフェース）部で、バイセントロ等のインターフェースであり、パーソナルコンピュータ（図示しない）からプリントデータを受け取ったり、画像形成装置１００の状態をパーソナルコンピュータに通知したりする。
【００６７】
７０９は画像データの圧縮及び伸長を高速に行う圧縮／伸長部であり、ＪＢＩＧ（Joint Bi-level Image Experts Group：ジェイビック），ＭＭＲ（modifiedＭＲ：修正ＭＲ方式）等のフォーマットをサポートする。
【００６８】
７０８は１０base等のネットワークとのインターフェース部（ＮＩＣ）であり、これを介してＣＰＵ７０１はネットワーク上のコンピュータ（図示しない）からプリントデータを受け取ったり、画像形成装置１００の状態をネットワーク上のコンピュータに通知したりする。
【００６９】
７０７はファックス部であり、モデムや回線処理回路を含むものである。所定のフォーマットで圧縮された画像データを通信回線（以下、ＰＳＴＮと略す）を介して送信したり、受信したりする。
【００７０】
７１２は前述のユーザインタフェース部（操作部）２０５とインターフェースするインターフェース部であって、ＬＣＤ（液晶ディスプレイ）コントローラを含む。ＣＰＵ７０１はこのインタフェース部７１２を介して表示データをユーザインタフェース部２０５に渡したり、キー入力データを受け取る。
【００７１】
７２０は画像処理部であって、画像転送バス３００を介してリーダ部１１０から画像データを受け取り、画像処理（後述）を施した後、ビデオ入力Ｉ／Ｆ（インターフェース）部７０５に出力する。ビデオ入力Ｉ／Ｆ部７０５ではタイミングを変換してＲＡＭ７０３に画像データを記憶させる。一方、ＲＡＭ７０３に記憶された画像データはビデオ出力Ｉ／Ｆ（インターフェース）部７０６でタイミングを変換され、画像処理部７２０で画像処理（後述）を施された後、画像転送バス２０７を介してプリンタコントローラ２０２へと送られる。
【００７２】
図７は図６の画像処理部７２０の構成を示す。８ビットの画像データはそのまま８ビットのデータとしてビデオ入力Ｉ／Ｆ部７０５へ送られる場合と、以下の画像処理を施される場合がある。
【００７３】
画像処理部７２０に入力した８ビットの画像データを、変倍部１３０４で拡大や縮小の変倍処理を施した後、フィルタ１３０３でフィルタ処理し、ｌｏｇ変換γ補償部１３０２でプリンタ等の特性に合わせてＬｏｇ変換を行い、２値化部１３０１で誤差拡散等のアルゴリズムを用いて２値化を行い、情報量を少なくする。
【００７４】
ビデオ出力Ｉ／Ｆ部７０６から入力した解像度６００dpi（ドット／インチ）の画像データは、スムージング部１３０５で擬似的に２４００dpiのデータに変換される。
【００７５】
図８は図３のプリンタコントローラ２０２の構成を示す。図中、８０１はプリンタ部１５０のメカニカルな制御を行うＣＰＵであって、ＲＯＭ８０２に記憶されたプログラムに従って制御を行う。８０３はＣＰＵ８０１が使用するＲＡＭである。８０４は入出力ポートであり、８０６の各種センサの検出値はこの入出力ポート８０４を介してＣＰＵ８０１に読み込まれる。各種センサ８０６には例えば転写紙の有無を検出する紙センサ等が含まれる。
【００７６】
入出力ポート８０４の出力はドライバ８０５に接続され、ドライバ８０５で必要なドライブ電圧に変換され、そのドライブ電圧は制御対象の各種負荷８０７へと接続される。各種負荷８０７には、定着ヒータ、紙送り用のモーターやクラッチ、ソレノイド等を含む。
【００７７】
８０９はリアル通信コミュニケーションインターフェースであり、ここを介してＣＰＵ８０１は前述のメインコントローラ２０１と情報の送受信を行う。
【００７８】
定着部１５７の温度を検出する温度センサ８０８はＣＰＵ８０１のＡ／Ｄ（アナログ・デジタル）入力ポートに接続され、ＣＰＵ８０１はここで検出する温度に応じて定着ヒータの制御を行う。
【００７９】
８１０は画像処理部であって、メインコントローラ２０１からライン２０７を介して送られてきた画像データを、主走査方向のタイミングをあわせてライン２０９を介して露光制御部１５１へと渡す。
【００８０】
図９は図３の低圧電源ユニット２０３の構成を示す。図中、ＣＰＵ９０１は低圧電源ユニットの動作を制御するもので、ＲＯＭ，ＲＡＭを含む１チップＣＰＵである。ＣＰＵ９０１はライン２０４を介してメインコントローラ２０１と情報をやりとりする。
【００８１】
商用電源９０７は平滑回路９０２により平滑され、その平滑回路９０２の出力は、９０３，９０４，９０５，９０６のＤＣ／ＤＣ（直流・直流）コンバータ部（ＣＮＶ１〜４）に並列に接続される。
【００８２】
第１のＣＤ／ＣＤコンバータ部９０３は常時動作をしていて、制御用の電源３．３ＶＡを作る。またこの３．３ＶＡはＣＰＵ９０１に供給される。
【００８３】
第２のＣＤ／ＣＤコンバータ部９０４は制御用の電源３．３ＶＢを作る。この電源はＣＰＵ９０１によりオン／オフ制御することができる。
【００８４】
第３のＣＤ／ＣＤコンバータ部９０５はパワー電源（２４Ｖ）を作る。この電源（２４Ｖ）はＣＰＵ９０１によりオン／オフ制御することができる。
【００８５】
第４のＣＤ／ＣＤコンバータ部９０６はパワー電源（２可変）を作る。この電源（２可変）はＣＰＵ９０１によりオン／オフ制御、及び出力電圧を設定することができる。また、第４のＣＤ／ＣＤコンバータ９０６内には電流リミッタ回路（図示しない）が設けて有り、かつリミットを掛ける電流値もＣＰＵ９０１により設定することができる。
【００８６】
（第１の実施形態）
次に、図１を参照して、本発明の第１の実施形態として本発明に係わる電力設定シーケンスの処理手順を説明する。
【００８７】
まず、電源投入後にプリンタ部１５０の総消費電力値及び複数の低消費電力モードの各電力値をプリンタ部１５０のメインコントローラ２０１からリーダ部１１０のリーダコントローラ１２０へ送信する（Ｓ１０１）。
【００８８】
そして、リーダコントローラ１２０においてプリンタ部１５０の消費電力とリーダ部１１０の消費電力（原稿給送装置１４０での消費電力も含む）の合計が所定の値（ここでは１．５ｋＷ以下とする）以下であるか否かを判断する（Ｓ１０２）。その合計が１．５ｋＷ以下であれば、リーダコントローラ１２０は、プリンタ部１５０の定着制御およびリーダ部１１０のモータ制御を通常の消費電力モードに設定する（Ｓ１０３）。そして、リーダ部１１０のリーダコントローラ１２０で設定されたプリンタ部１５０の定着制御モードをリーダコントローラ１２０からプリンタ部１５０のメインコントローラ２０１を介してプリンタコントローラ２０２へ送信する（Ｓ１０４）。
【００８９】
プリンタ部１５０の消費電力とリーダ部１１０の消費電力の合計が１．５ｋＷを超える場合には、リーダコントローラ１２０は、プリンタ部１５０に設定されている複数の低消費電力モードに対応する消費電力と、リーダ部１１０に設定されている複数の低消費電力モードに対応する消費電力との合計が１．５ｋＷ以下になるモードの組合せがあるか否かを判断する（Ｓ１０５）。
【００９０】
Ｓ１０５で１．５ｋＷ以下になるモードの組合せがあれば、リーダコントローラ１２０は、その中で最も性能が高い消費電力モードに対応する、プリンタ部１５０の定着制御とリーダ部１１０のモータ制御の制御モードを設定する（Ｓ１０６）。そして、リーダ部１１０のリーダコントローラ１２０において設定されたプリンタの定着制御モードをリーダコントローラ１２０からプリンタ部１５０のメインコントローラ２０１を介してプリンタコントローラ２０２へ送信する（Ｓ１０７）。
【００９１】
Ｓ１０５で１．５ｋＷ以下になるモードの組合せがなければ、リーダコントローラ１２０は、その旨をプリンタ部１５０のメインコントローラ２０１へ通知し、メインコントローラ２０１は、その組合せにおける装置の使用を禁止し（Ｓ１０８）、操作部２０５の表示器２０５ａに装置使用の禁止、及びこの際のリーダ部１１０とプリンタ部１５０の組合せが不可能であることを表示する（Ｓ１０９）。
【００９２】
上記のステップＳ１０５に記載した「プリンタ部１５０に設定されている複数の低消費電力モードに対応する消費電力」と、「リーダ部１１０に設定されている複数の低消費電力モードに対応する消費電力」の具体例および、それら低消費電力モードが通常の消費電力モードと動作がどのように違うのかを以下に例示する。
【００９３】
例えば、
リーダ部Ａ：通常動作時の消費電力が２００Ｗ
スキャナユニット１１３を駆動するモータ（図示しない）の通常時は、
電圧：３８Ｖ、電流：２Ａ、駆動速度：４０００ｒｐｍ（モータ消費電力：７６Ｗ）で制御する。この他に低消費電力モードとして、
電圧：３８Ｖ，電流：１Ａ、駆動速度：２０００ｒｐｍ（モータ消費電力：３８Ｗ）（このとき、リーダ部Ａの消費電力は１６２Ｗとなる。）
を有する。
【００９４】
リーダ部Ｂ：通常動作時の消費電力が４００Ｗ
スキャナユニット１１３を駆動するモータ（図示しない）の通常時は、
電圧：３８Ｖ、電流：３Ａ、駆動速度：６０００ｒｐｍ（モータ消費電力：１１４Ｗ）で制御する。この他に低消費電力モードとして、
電圧：３８Ｖ，電流：２Ａ、駆動速度：４０００ｒｐｍ（モータ消費電力：７６Ｗ）（このとき、リーダ部Ｂの消費電力は３６２Ｗとなる。）
を有する。
【００９５】
プリンタ部Ａ：通常動作時の消費電力が１２００Ｗ
定着ヒーター（６００Ｗ）の通常時は
１００％駆動：６００Ｗ
で制御する。このほかに低消費電力モードとして、
１７％ダウン駆動：５００Ｗ
（このとき、プリンタ部Ａの消費電力は１１００Ｗ）を有する。
【００９６】
プリンタ部Ｂ：通常動作時の消費電力が１３００Ｗ
定着ヒーター（６００Ｗ）の通常時は
１００％駆動：６００Ｗ
で制御する。このほかに低消費電力モードとして、
１７％ダウン駆動：５００Ｗ
（このとき、プリンタ部Ｂの消費電力は１２００Ｗ）を有する。
【００９７】
１．次の２つの組合わせは１５００Ｗ以下となるので、どちらも通常モードで動作させる。
【００９８】
リーダ部Ａ＋プリンタ部Ａ（＝１４００Ｗ）
リーダ部Ａ＋プリンタ部Ｂ（＝１５００Ｗ）
２．次の組合わせは１５００Ｗを超えるので、低消費電力モードをみる。
【００９９】
リーダ部Ｂ＋プリンタ部Ａ（＝１６００Ｗ）
リーダ部は通常モード（４００Ｗ）、プリンタ部は低消費電力モード（１１００
Ｗ）で１５００Ｗ以下になるので、このモードの組み合わせで動作させる。
【０１００】
３．次の組合わせは１５００Ｗを超えるので、低消費電力モードをみる。
【０１０１】
リーダ部Ｂ＋プリンタ部Ｂ（＝１７００Ｗ）
しかし、どちらも低消費電力モードにしても、１５００Ｗを超える
（１５６２Ｗ）ので装置の使用を禁止する。
【０１０２】
（第２の実施形態）
次に、図１０を参照して、本発明の第２の実施形態として本発明に係わる他の電力設定シーケンスの処理手順を説明する。
【０１０３】
まず、電源投入後にリーダの総消費電力値及び複数の低消費電力モードの各電力値をリーダ部１１０のリーダコントローラ１２０からプリンタ部１５０のメインコントローラ２０１へ送信する（Ｓ１００１）。
【０１０４】
そして、メインコントローラ２０１においてプリンタ部１５０の消費電力とリーダ部１１０の消費電力の合計が所定の値（ここでは１．５ｋＷ以下とする）以下であるかどうかを判断する（Ｓ１００２）。その合計が１．５ｋＷ以下であれば、メインコントローラ２０１はプリンタ部１５０の定着制御およびリーダ部１１０のモータ制御を通常の消費電力モードに設定する（Ｓ１００３）。そして、メインコントローラ２０１で設定されたリーダ部１１０のモータ制御の制御モードをプリンタ部１５０のメインコントローラ２０１からリーダ部１１０のリーダコントローラ１２０へ送信する（Ｓ１００４）。
【０１０５】
プリンタ部１５０の消費電力とリーダ部１１０の消費電力の合計が１．５ｋＷを超える場合は、メインコントローラ２０１はプリンタ部１５０に設定されている複数の低消費電力モードに対応する消費電力と、リーダ部１１０に設定されている複数の低消費電力モードに対応する消費電力との合計が１．５ｋＷ以下になるモードの組合せがあるか否かを判断する（Ｓ１００５）。
【０１０６】
Ｓ１００５で１．５ｋＷ以下になる組合せがあれば、メインコントローラ２０１は、その中で最も性能が高い消費電力モードに対応する、プリンタ部１５０の定着制御とリーダ部１１０のモータ制御の制御モードを設定する（Ｓ１００６）。そして、プリンタ部で設定されたリーダ部１１０の消費電力モードをプリンタ部１５０のメインコントローラ２０１からリーダ部１１０のリーダコントローラ１２０へ送信する（Ｓ１００７）。
【０１０７】
Ｓ１００５で１．５ｋＷ以下になる組合せがなければ、メインコントローラ２０１はその組合せにおける装置の使用を禁止し（Ｓ１００８）、表示器２０５ａに装置使用の禁止、及びこの際のリーダとプリンタの組合せが不可能であることを表示する（Ｓ１００９）。
【０１０８】
（他の実施の形態）
なお、本発明は、複数の機器（例えば、ホストコンピュータ、インターフェース機器、リーダ、プリンタなど）から構成されるシステムに適用しても、１つの機器からなる装置（例えば、複写機、ファクシミリ装置など）に適用してもよい。
【０１０９】
また、本発明の目的は、前述した実施の形態の機能を実現するソフトウエアのプログラムコードを記録した記録媒体（記憶媒体）を、システムあるいは装置に供給し、そのシステムあるいは装置のコンピュータ（またはＣＰＵやＭＰＵ）が記録媒体に格納されたプログラムコードを読み出し、実行することによっても、達成されることは言うまでもない。
【０１１０】
この場合、記録媒体から読み出されたプログラムコード自体が前述した実施の形態の機能を実現することになり、そのプログラムコードを記録した記録媒体は本発明を構成することになる。
【０１１１】
そのプログラムコードを記録し、またテーブル等の変数データを記録する記録媒体としては、例えばフロッピディスク（ＦＤ）、ハードディスク、光ディスク、光磁気ディスク、ＣＤ−ＲＯＭ、ＣＤ−Ｒ、磁気テープ、不揮発性のメモリカード（ＩＣメモリカード）、ＲＯＭなどを用いことができる。
【０１１２】
また、コンピュータが読み出したプログラムコードを実行することにより、前述の実施の形態の機能が実現されるだけでなく、そのプログラムコードの指示に基づいて、コンピュータ上で稼動しているＯＳ（オペレーティングシステム）などが実際の処理の一部または全部を行ない、その処理によって前述した実施の形態の機能が実現される場合も含まれることは言うまでもない。
【０１１３】
【発明の効果】
以上説明したように、本発明によれば、接続されるプリンタとリーダの消費電力に応じて、プリンタおよびリーダの消費電力を変更させるようにしたので、可能な限り最適なパフォーマンスを維持させることが可能となる。その結果、本発明によれば、故障あるいは誤作動に至ることなく、接続されるプリンタとリーダの組み合わせは限りなく多くなり、ユーザーに豊富な製品ラインナップを持つ画像形成装置を提供することができる。
【図面の簡単な説明】
【図１】本発明の第１の実施形態の電力設定シーケンスの処理手順を示すフローチャートである。
【図２】本発明の一実施の形態に係る画像形成装置の概略構成を示す縦断面図である。
【図３】本発明の一実施の形態に係る画像形成装置の制御系の構成を示すブロック図である。
【図４】図３のリーダコントローラの構成を示すブロック図である。
【図５】図３のユーザインタフェース部（操作部）の構成を示す平面図である。
【図６】図３のメインコントローラの構成を示すブロック図である。
【図７】図４の画像処理部の構成を示すブロック図である。
【図８】図３のプリンタコントローラの構成を示すブロック図である。
【図９】図３の低圧電源ユニットの構成を示すブロック図である。
【図１０】本発明の第２の実施形態の電力設定シーケンスの処理手順を示すフローチャートである。
【符号の説明】
１００  画像形成装置
１１０  リーダ部
１１１  原稿台ガラス
１１２  ランプ
１１３  スキャナ・ユニット
１１４  ミラー
１１５  ミラー
１１６  ミラー
１１７  レンズ
１１８  ＣＣＤイメージ・センサ部
１２０  リーダコントローラ
１２１  画像データ
１２２  タイミング信号
１２３  ステッピングモータ
１２４  ＣＰＵ
１２５  パルス生成器
１２６  初期画処理器
１２７  発振器
１２８  モータドライバ
１３０  ローカルデータバス
１３２  画像クロック
１３３  モータ制御信号
１３４  モータ駆動線
１４０  原稿給送装置
１５０  プリンタ部
１５１  露光制御部
１５２  感光体
１５３  現像器
１５４  転写紙積載部
１５５  転写紙積載部
１５６  転写部
１５７  定着部
１５８  排紙部
１５９  搬送方向切り替え部材
１６０  再給紙用転写紙積載部
１７０  ソータ
１７１  ビン
１７２  ビン
２０１  メインコントローラ
２０２  プリンタコントローラ
２０３  低圧電源ユニット
２０５  操作部（ユーザインタフェース部）
２０５ａ  表示器
２０５ｂ  スタートキー
２０５ｃ  復帰（リセット）キー
２０５ｄ  キー群
２０５ｅ  濃度調整キー
２０５ｆ  濃度調整キー
２０５ｇ  濃度表示部
２０５ｈ  自動濃度調整機能オン／オフキー
２０５ｉ  給紙段／オート用紙選択キー
２０５ｊ  縮小キー
２０５ｋ  等倍キー
２０５ｌ  拡大キー
２０５ｍ  オート変倍モード設定キー
２０７  画像データバス
２０８  制御データバス
３００  画像転送バス
３０１  データバス
３０２  制御電源ライン
３０３  パワー電源ライン
３０４  外部インターフェース
７０１  ＣＰＵ
７０２  ＲＯＭ
７０３  ＲＡＭ
７０５  ビデオ入力インターフェース部
７０６  ビデオ出力インターフェース部
７０７  ファックス
７０８  ネットワークとのインターフェース
７０９  圧縮／伸長部
７１０  ＰＣ  Ｉ／Ｆ部
７１２  ユーザインタフェース部とのインターフェース部
７１３  シリアル通信コミュニケーションインターフェース
７２０  画像処理部
８０１  ＣＰＵ
８０２  ＲＯＭ
８０３  ＲＡＭ
８０４  Ｉ／Ｏ
８０５  ドライバ
８０６  各種センサ
８０７  各種負荷
８０８  定着温度センサ
８０９  シリアル通信コミュニケーションインターフェース
８１０  画像処理部
９０１  ＣＰＵ
９０２  平滑回路
９０３−９０６  ＤＣ／ＤＣコンバーター部
９０７  商用電源
１３０１  ２値化部
１３０２  ｌｏｇ変換／γ補償
１３０３  フィルタ
１３０４  変倍部
１３０５  スムージング部
【図１】
0004323642.tif 000002
【図２】
0004323642.tif 000003
【図３】
0004323642.tif 000004
【図４】
0004323642.tif 000005
【図５】
0004323642.tif 000006
【図６】
0004323642.tif 000007
【図７】
0004323642.tif 000008
【図８】
0004323642.tif 000009
【図９】
0004323642.tif 000010
【図１０】
0004323642.tif 000011